(57)【要約】【課題】移動先として予測精度の高い情報を提供する。【解決手段】通信端末１００の位置情報を取得し、通信端末１００を所持している利用者の移動属性を判断し、通信端末１００を所持している利用者の移動属性に変化があったときの通信端末１００の位置情報と、変化の前の移動属性と、変化の後の移動属性とに応じた推薦情報を取得し、取得した推薦情報を出力する。【選択図】図１
2012230616.tif 000002
【特許請求の範囲】
【請求項１】
通信端末と、該通信端末と通信可能なサーバとから構成された通信システムにおいて、
前記通信端末は、
当該通信端末を所持している利用者の移動属性を判断する移動属性判断部と、
当該通信端末の位置を示す位置情報を取得する位置情報取得部と、
前記移動属性判断部が判断した移動属性に変化があったときの前記位置情報と、前記変化の前の移動属性である第１の移動属性と、前記変化の後の移動属性である第２の移動属性とに応じた推薦情報を取得する推薦情報取得部と、
前記推薦情報を出力する推薦情報出力部とを有することを特徴とする通信システム。
【請求項２】
請求項１に記載の通信システムにおいて、
前記サーバは、
前記位置情報と、前記第１の移動属性と、前記第２の移動属性と、移動先を示す移動先情報とを対応付けて記憶する移動情報データベースと、
前記推薦情報取得部から、前記位置情報と、前記第１の移動属性と、前記第２の移動属性とが送信されてきたとき、該位置情報と、該第１の移動属性と、該第２の移動属性とに基づいて、前記移動先情報を前記移動情報データベースから読み出し、該読み出した移動先情報に関連する前記推薦情報を前記通信端末へ送信する推薦情報送信部とを有し、
前記推薦情報取得部は、前記推薦情報を前記サーバから取得するとき、前記位置情報と、前記第１の移動属性と、前記第２の移動属性とを、前記サーバへ送信することを特徴とする通信システム。
【請求項３】
請求項１または請求項２に記載の通信システムにおいて、
前記位置情報取得部は、ＧＰＳ衛星から前記位置情報を取得することを特徴とする通信システム。
【請求項４】
請求項１乃至３のいずれか１項に記載の通信システムにおいて、
前記移動属性判断部は、加速度センサを用いて、前記移動属性を判断することを特徴とする通信システム。
【請求項５】
請求項１乃至４のいずれかに記載の通信システムにおいて、
前記推薦情報出力部は、前記推薦情報を表示することを特徴とする通信システム。
【請求項６】
通信端末であって、
当該通信端末を所持している利用者の移動属性を判断する移動属性判断部と、
当該通信端末の位置を示す位置情報を取得する位置情報取得部と、
前記移動属性判断部が判断した移動属性に変化があったときの前記位置情報と、前記変化の前の移動属性と、前記変化の後の移動属性とに応じた推薦情報を取得する推薦情報取得部と、
前記推薦情報を出力する推薦情報出力部とを有する通信端末。
【請求項７】
サーバであって、
位置を示す位置情報と、第１の移動属性と、第２の移動属性と、移動先を示す移動先情報とを対応付けて記憶する移動情報データベースと、
当該サーバと通信可能な通信端末から、前記位置情報と、前記第１の移動属性と、前記第２の移動属性とが送信されてきたとき、該位置情報と、該第１の移動属性と、該第２の移動属性とに基づいて、前記移動先情報を前記移動情報データベースから読み出し、該読み出した移動先情報に関連する推薦情報を前記通信端末へ送信する推薦情報送信部とを有するサーバ。
【請求項８】
通信端末が所定の情報を提示する情報提示方法であって、
当該通信端末を所持している利用者の移動属性を判断する処理と、
当該通信端末の位置を示す位置情報を取得する処理と、
前記移動属性に変化があったときの前記位置情報と、前記変化の前の移動属性と、前記変化の後の移動属性とに応じた推薦情報を取得する処理と、
前記推薦情報を出力する処理とを行う情報提示方法。
【請求項９】
通信端末に、
当該通信端末を所持している利用者の移動属性を判断する手順と、
当該通信端末の位置を示す位置情報を取得する手順と、
前記移動属性に変化があったときの前記位置情報と、前記変化の前の移動属性と、前記変化の後の移動属性とに応じた推薦情報を取得する手順と、
前記推薦情報を出力する手順とを実行させるためのプログラム。
【発明の詳細な説明】
【技術分野】
【０００１】
本発明は、情報を提示する通信システム、通信端末、サーバ、情報提示方法およびプログラムに関する。
【背景技術】
【０００２】
近年、携帯端末の位置情報、移動履歴や滞留時間に基づいて、目的地や通過エリアを予測し、予測したエリア情報を携帯端末に表示させる行動レコメンドシステムが考えられている（例えば、特許文献１参照。）。
【０００３】
このような、行動レコメンドシステムでは、現在位置や移動方向を用いて、これから向かうべき場所等の予測を行う。しかしながら、現在位置や移動方向だけでは、利用者の状態の捉え方が不十分であり、予測の精度が低い。例えば、駅を歩いているという情報だけでは、電車を降りたのか、これから乗るのか、駅ビルで買い物をしているのか等を判断することができず、有用な予測が難しい。
【０００４】
そこで、利用者の移動速度や地図情報から移動属性を特定し、特定した移動属性を位置情報に加えて、移動先を予測して、その移動先の情報を表示する技術が考えられている（例えば、特許文献２，３参照。）。
【先行技術文献】
【特許文献】
【０００５】
【特許文献１】特開２００９−２３０５１４号公報
【特許文献２】特開２００２−１５６２４４号公報
【特許文献３】特開２００７−３０４００９号公報
【発明の概要】
【発明が解決しようとする課題】
【０００６】
しかしながら、位置情報と移動属性とに基づいて、移動先の情報を予測した場合であっても、その精度が高いとは言えない。例えば、位置情報がＡ駅であり、移動属性が徒歩である場合、Ａ駅まで電車で来た利用者と、Ａ駅までバスで来た利用者とでは、移動先が互いに同じになるとは言い切れない。
【０００７】
本発明の目的は、上述した課題を解決する通信システム、通信端末、サーバ、情報提示方法およびプログラムを提供することである。
【課題を解決するための手段】
【０００８】
本発明の通信システムは、
通信端末と、該通信端末と通信可能なサーバとから構成された通信システムであって、
前記通信端末は、
当該通信端末を所持している利用者の移動属性を判断する移動属性判断部と、
当該通信端末の位置を示す位置情報を取得する位置情報取得部と、
前記移動属性判断部が判断した移動属性に変化があったときの前記位置情報と、前記変化の前の移動属性である第１の移動属性と、前記変化の後の移動属性である第２の移動属性とに応じた推薦情報を取得する推薦情報取得部と、
前記推薦情報を出力する推薦情報出力部とを有することを特徴とする。
【０００９】
また、本発明の通信端末は、
当該通信端末を所持している利用者の移動属性を判断する移動属性判断部と、
当該通信端末の位置を示す位置情報を取得する位置情報取得部と、
前記移動属性判断部が判断した移動属性に変化があったときの前記位置情報と、前記変化の前の移動属性と、前記変化の後の移動属性とに応じた推薦情報を取得する推薦情報取得部と、
前記推薦情報を出力する推薦情報出力部とを有する。
【００１０】
また、本発明のサーバは、
位置を示す位置情報と、第１の移動属性と、第２の移動属性と、移動先を示す移動先情報とを対応付けて記憶する移動情報データベースと、
当該サーバと通信可能な通信端末から、前記位置情報と、前記第１の移動属性と、前記第２の移動属性とが送信されてきたとき、該位置情報と、該第１の移動属性と、該第２の移動属性とに基づいて、前記移動先情報を前記移動情報データベースから読み出し、該読み出した移動先情報に関連する推薦情報を前記通信端末へ送信する推薦情報送信部とを有する。
【００１１】
また、本発明の情報提示方法は、
通信端末が所定の情報を提示する情報提示方法であって、
当該通信端末を所持している利用者の移動属性を判断する処理と、
当該通信端末の位置を示す位置情報を取得する処理と、
前記移動属性に変化があったときの前記位置情報と、前記変化の前の移動属性と、前記変化の後の移動属性とに応じた推薦情報を取得する処理と、
前記推薦情報を出力する処理とを行う。
【００１２】
また、本発明のプログラムは、
通信端末に実行させるためのプログラムであって、
当該通信端末を所持している利用者の移動属性を判断する手順と、
当該通信端末の位置を示す位置情報を取得する手順と、
前記移動属性に変化があったときの前記位置情報と、前記変化の前の移動属性と、前記変化の後の移動属性とに応じた推薦情報を取得する手順と、
前記推薦情報を出力する手順とを実行させる。
【発明の効果】
【００１３】
以上説明したように、本発明においては、移動先として予測精度の高い情報を提示することができる。
【図面の簡単な説明】
【００１４】
【図１】本発明の通信システムの一形態を示す図である。
【図２】図１に示した通信端末の内部構成の一例を示す図である。
【図３】図１に示したサーバの内部構成の一例を示す図である。
【図４】図３に示した移動情報データベースに記憶されている、位置情報と第１の移動属性と第２の移動属性と移動先情報との対応付けの一例を示す図である。
【図５】図１に示した通信システムにおける情報提示方法の一例を説明するためのシーケンス図である。
【発明を実施するための形態】
【００１５】
以下に、本発明の実施の形態について図面を参照して説明する。
【００１６】
図１は、本発明の通信システムの一形態を示す図である。
【００１７】
本形態は図１に示すように、通信端末１００と、サーバ２００とから構成されている。なお、図１には、通信端末１００が１台である場合を例に挙げて示しているが、２台以上であっても良い。また、図１においては、通信端末１００とサーバ２００とが無線を用いて通信を行う例を示しているが、有線を用いて通信を行うものや、通信ネットワークを介して通信を行うものであっても良く、この通信形態については特に規定しない。
【００１８】
通信端末１００は、サーバ２００との間で通信が可能な通信装置であって、携帯電話機、携帯端末、タブレット型やノート型のＰＣ（Ｐｅｒｓｏｎａｌ  Ｃｏｍｐｕｔｅｒ）、スマートフォン、ＰＤＡ（Ｐｅｒｓｏｎａｌ  Ｄｉｇｉｔａｌ  Ａｓｓｉｓｔａｎｔｓ）、ゲーム機等の装置である。
【００１９】
図２は、図１に示した通信端末１００の内部構成の一例を示す図である。
【００２０】
図１に示した通信端末１００には図２に示すように、移動属性判断部１１０と、位置情報取得部１２０と、推薦情報取得部１３０と、推薦情報出力部１４０とが設けられている。
【００２１】
移動属性判断部１１０は、通信端末１００を所持している利用者の移動属性を判断する。この判断方法は、加速度センサや地磁気センサを用いて、通信端末１００を所持している利用者の移動属性（停止中、歩行中、自転車で移動中、電車に乗車中、バスに乗車中等）を判断するものであっても良い。
【００２２】
位置情報取得部１２０は、通信端末１００の位置を示す位置情報を取得する。ここで、位置情報取得部１２０は、移動属性判断部１１０が判断した移動属性に変化があったとき、位置情報を取得するものであっても良いし、所定のタイミングで位置情報を取得するものであっても良い。なお、位置情報取得部１２０は、位置情報をＧＰＳ（Ｇｌｏｂａｌ  Ｐｏｓｉｔｉｏｎｉｎｇ  Ｓｙｓｔｅｍ）衛星や無線信号の強度、通信を行う基地局等から取得するもので良く、ここではその取得方法については規定しない。
【００２３】
推薦情報取得部１３０は、位置情報取得部１２０が取得した位置情報と、移動属性判断部１１０が判断した移動属性に変化があったときの変化の前の移動属性（第１の移動属性）と、変化の後の移動属性（第２の移動属性）とに応じた推薦情報を取得する。このとき、推薦情報取得部１３０は、推薦情報をサーバ２００から取得するものであっても良いし、通信端末１００内に、位置情報と第１の移動属性と第２の移動属性とに対応付けられた推薦情報が保持されている場合、その保持されている推薦情報を取得するものであっても良い。推薦情報取得部１３０が推薦情報をサーバ２００から取得する場合、推薦情報取得部１３０は、位置情報と第１の移動属性と第２の移動属性とをサーバ２００へ送信して推薦情報を要求し、その要求に応じてサーバ２００から送信されてきた推薦情報を取得する。
【００２４】
なお、ここで推薦情報取得部１３０が推薦情報の取得に用いる位置情報は、位置情報取得部１２０が取得したもの（例えば、緯度経度を示す情報）そのものであっても良いし、当該位置情報が示す位置に存在する施設や建物等の情報（例えば、Ａ駅やＣバス停等）であっても良い。
【００２５】
また、位置情報取得部１２０が、所定のタイミングで位置情報を取得するものである場合、推薦情報取得部１３０は、移動属性に変化があった時刻に取得している位置情報や、移動属性に変化があった時刻に最も近い時刻に取得した位置情報を、推薦情報の取得に使用する。
【００２６】
推薦情報出力部１４０は、推薦情報取得部１３０が取得した推薦情報を出力する。この出力方法は、推薦情報をディスプレイ等に表示するものであっても良いし、音声として出力するものであっても良いし、所定の装置（例えば、プリンタ等）へ出力するものであっても良く、通信端末１００の利用者へ推薦情報を提示できるものであれば良い。
【００２７】
図３は、図１に示したサーバ２００の内部構成の一例を示す図である。
【００２８】
図１に示したサーバ２００には図３に示すように、移動情報データベース２１０と、推薦情報送信部２２０とが設けられている。
【００２９】
移動情報データベース２１０は、位置情報と、第１の移動属性と、第２の移動属性と、移動先を示す移動先情報とを対応付けて記憶する。
【００３０】
図４は、図３に示した移動情報データベース２１０に記憶されている、位置情報と第１の移動属性と第２の移動属性と移動先情報との対応付けの一例を示す図である。
【００３１】
図３に示した移動情報データベース２１０には図４に示すように、位置情報と変化前の移動属性である第１の移動属性と変化後の移動属性である第２の移動属性と移動先情報とが対応付けられて記憶されている。また、位置情報、第１の移動属性、第２の移動属性および移動先情報それぞれは、その情報自体が記憶されていない（他の記憶デバイス等に記憶されている）ものであっても、位置情報と第１の移動属性と第２の移動属性と移動先情報とを対応付けられる情報が記憶されていれば良い。また、上述したように、位置情報として、緯度経度を示す情報が記憶されているものであっても良い。
【００３２】
推薦情報送信部２２０は、推薦情報取得部１３０から、位置情報と第１の移動属性と第２の移動属性とが送信されて推薦情報が要求されたとき、送信されてきた位置情報と第１の移動属性と第２の移動属性とに基づいて、移動先情報を移動情報データベース２１０から読み出す。また、推薦情報送信部２２０は、移動情報データベース２１０から読み出した移動先情報に関連する推薦情報を生成する。また、推薦情報送信部２２０は、生成した推薦情報を通信端末１００へ送信する。なお、推薦情報送信部２２０は、推薦情報取得部１３０から送信されてきた位置情報が、緯度経度を示す位置そのものであり、移動情報データベース２１０に記憶されている位置情報が、Ａ駅やＣバス停のような施設や建物等の情報である場合、地図等を用いて、位置情報を緯度経度の情報から施設や建物等の情報へ変換する必要がある。
【００３３】
ここで、この推薦情報とは、移動先情報が示す移動先のエリアに関する情報であり、例えば、移動先情報が遊園地である場合、遊園地の園内マップや、開園時間等の情報であっても良い。また、移動先情報が駅である場合は、その駅の電車の時刻表や、駅周辺の地図情報、駅周辺のお店の情報であっても良い。
【００３４】
推薦情報を生成する際、推薦情報送信部２２０は、移動先情報を用いて所定のサイトから情報を取得したり、すでにサーバ２００に記憶されている情報を用いたりして、推薦情報を生成したりするもので良く、その具体的な生成方法は規定しない。
【００３５】
次に、推薦情報送信部２２０の移動先情報の読み出し処理について、図４に示した対応付けが移動情報データベース２１０に記憶されている場合を例に挙げて説明する。
【００３６】
例えば、通信端末１００から、位置情報「Ａ駅」と、変更前の移動属性「電車」と、変更後の移動属性「徒歩」とが送信されてくると、これらに対応付けられている移動先情報「Ｂ遊園地」と「Ｇビル」とが読み出される。
【００３７】
また、通信端末１００から、位置情報「Ｃバス停」と、変更前の移動属性「バス」と、変更後の移動属性「徒歩」とが送信されてくると、これらに対応付けられている移動先情報「Ｄ寺」が読み出される。
【００３８】
また、通信端末１００から、位置情報「Ａ駅」と、変更前の移動属性「徒歩」と、変更後の移動属性「電車」とが送信されてくると、これらに対応付けられている移動先情報「Ｅ駅」が読み出される。
【００３９】
また、通信端末１００から、位置情報「Ａ駅」と、変更前の移動属性「乗用車」と、変更後の移動属性「徒歩」とが送信されてくると、これらに対応付けられている移動先情報「Ｆレストラン」が読み出される。
【００４０】
また、通信端末１００から、位置情報「Ａ駅」と、変更前の移動属性「バス」と、変更後の移動属性「徒歩」とが送信されてくると、これらに対応付けられている移動先情報「Ｈストア」が読み出される。
【００４１】
以下に、図１に示した通信システムにおける情報提示方法について説明する。
【００４２】
図５は、図１に示した通信システムにおける情報提示方法の一例を説明するためのシーケンス図である。
【００４３】
まず、移動属性判断部１１０が、通信端末１００を所持している利用者の移動属性を判断する（ステップＳ１）。これは、上述したように、加速度センサや地磁気センサを用いて、通信端末１００を所持している利用者の移動属性を判断する。
【００４４】
そして、移動属性判断部１１０が判断した移動属性に変化があったかどうかを、移動属性判断部１１０が判断する（ステップＳ２）。
【００４５】
移動属性に変化があった場合、位置情報取得部１２０が通信端末１００の位置を示す位置情報を取得する（ステップＳ３）。
【００４６】
すると、変化前の移動属性と変化後の移動属性と位置情報とを、推薦情報取得部１３０がサーバ２００へ送信する（ステップＳ４）。
【００４７】
推薦情報取得部１３０から位置情報と変化前の移動属性と変化後の移動属性とが送信されてくると、推薦情報送信部２２０が、送信されてきた位置情報と変化前の移動属性と変化後の移動属性とに対応付けられた移動先情報を移動情報データベース２１０から読み出す（ステップＳ５）。このとき、位置情報が互いに近い距離であるものや、移動属性の変化が類似（例えば、電車から徒歩と、バスから徒歩のように）のものについても、推薦情報送信部２２０が移動情報データベース２１０から読み出すものであっても良い。
【００４８】
続いて、推薦情報送信部２２０が、読み出した移動先情報に関連する推薦情報を生成する（ステップＳ６）。そして、推薦情報送信部２２０は、生成した推薦情報を通信端末１００へ送信する（ステップＳ７）。
【００４９】
推薦情報送信部２２０から推薦情報が送信されてくると、推薦情報取得部１３０はこの推薦情報を受信することで取得し、取得した推薦情報を推薦情報出力部１４０が表示する（ステップＳ８）。
【００５０】
なお、上述したように、推薦情報取得部１３０は、推薦情報をサーバ２００から取得せずに、通信端末１００内にすでに記憶しているものから取得するものであっても良い。つまり、サーバ２００に記憶されている対応付けのうち、通信端末１００がすでに使用したものを自身に記憶しておき、推薦情報を取得する際に使用する対応付けが、すでに通信端末１００に記憶されているものであれば、それを用いて推薦情報を取得するものであっても良い。
【００５１】
また、移動情報データベース２１０に記憶されている対応付けは、あらかじめ登録されているものであっても良いし、通信端末１００の行動の履歴に基づいて登録されるものであっても良い。通信端末１００の行動の履歴に基づいて対応付けが登録される場合の処理の一例を説明する。
【００５２】
例えば、上述したステップＳ４にて、通信端末１００から、位置情報と変化前の移動属性と変化後の移動属性とが送信されてきたとき、推薦情報送信部２２０がそれらを対応付けて移動情報データベース２１０に登録しておく。その後、さらに、通信端末１００から、位置情報と変化前の移動属性と変化後の移動属性とが送信されてきたとき、先に登録されている位置情報と変化前の移動属性と変化後の移動属性との対応付けに、その後に送信されてきた位置情報を移動先情報として、対応付けて登録するものであっても良い。
【００５３】
このとき、すでに同じ組み合わせの対応付けが移動情報データベース２１０に登録されている場合、その対応付けをあらたに登録しないものであっても良いし、重複してもその対応付けをあらたに登録するものであっても良い。重複して登録されるものである場合、その組み合わせの重複する数に応じて、推薦情報送信部２２０が通信端末１００へ推薦情報を送信する優先度を決定するものであっても良い。つまり、例えば、推薦情報送信部２２０が、重複する数の多い組み合わせの移動先情報を優先的に読み出し、読み出した移動先情報に応じた推薦情報を送信するものであっても良い。
【００５４】
また、通信端末１００から位置情報と変化前の移動属性と変化後の移動属性とを送信する前に、推薦情報の取得をサーバ２００へ要求し、サーバ２００から必要な情報のみを送信するように通信端末１００へ指示するものであっても良い。この場合、通信端末１００は、要求された情報すべてをサーバ２００送信するものであっても良いし、要求された情報のうちの一部の情報をサーバ２００送信するものであっても良い。
【００５５】
このように、本発明は、移動情報の中に移動属性の変化を追加するというように構成されているため、位置情報の変化のみを用いてその後の移動先を予測するシステムに比べて予測の精度を向上させることができる。
【００５６】
なお、本発明は、携帯端末でナビゲーションを行うアプリケーションといった用途に適用することができる。特に、公共交通機関などの移動属性を利用する場合のナビゲーションの用途に適用することができる。
【００５７】
上述した通信端末１００に設けられた各構成要素が行う処理は、目的に応じてそれぞれ作製された論理回路で行うようにしても良い。また、処理内容を手順として記述したコンピュータプログラム（以下、プログラムと称する）を通信端末１００にて読取可能な記録媒体に記録し、この記録媒体に記録されたプログラムを通信端末１００に読み込ませ、実行するものであっても良い。通信端末１００にて読取可能な記録媒体とは、フロッピー（登録商標）ディスク、光磁気ディスク、ＤＶＤ、ＣＤなどの移設可能な記録媒体の他、通信端末１００に内蔵されたＲＯＭ、ＲＡＭ等のメモリやＨＤＤ等を指す。この記録媒体に記録されたプログラムは、通信端末１００に設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【００５８】
１００    通信端末
１１０    移動属性判断部
１２０    位置情報取得部
１３０    推薦情報取得部
１４０    推薦情報出力部
２００    サーバ
２１０    移動情報データベース
２２０    推薦情報送信部
【図１】
2012230616.tif 000003
【図２】
2012230616.tif 000004
【図３】
2012230616.tif 000005
【図４】
2012230616.tif 000006
【図５】
2012230616.tif 000007